(57)【要約】【課題】  情報処理装置にてコンテンツを改めて確認するときのユーザの負荷を軽減することができるコンテンツ表示システムを提供する。【解決手段】  携帯端末装置３は、サイネージ端末装置２から画像識別情報を受信すると、受信した画像識別情報を基に受信履歴を作成してサイネージ視聴履歴ＤＢ４に送信する。携帯端末装置３が作成し、サイネージ視聴履歴ＤＢ４に記憶された履歴を利用して、ウェブサーバ装置１が、画像コンテンツの画像データを、ユーザが見たと推測される既読画像データとユーザが見ていないと推測される未読画像データとに区別して、ＰＣ５に送信する。ユーザは、これらの区別された画像データに基づく画像をＰＣ５に表示させて閲覧する。【選択図】      図１
2014021677.tif 000002
【特許請求の範囲】
【請求項１】
画像データに基づく画像を表示するコンテンツ表示部と、
画像データを識別する画像識別情報がそれぞれ付された複数の画像データを含む画像コンテンツと、該画像コンテンツに含まれる各画像データを表示部に表示させる順序および表示させる期間を示す表示スケジュールと、をコンテンツ配信サーバ装置から受信するコンテンツ受信部と、
コンテンツ受信部が受信した画像コンテンツと表示スケジュールとを記憶するコンテンツ記憶部と、
表示スケジュールに従って、画像コンテンツに含まれる各画像データに基づく画像をコンテンツ表示部に表示させるコンテンツ表示制御部と、
コンテンツ表示部に表示されている画像の画像データに付された画像識別情報を、無線通信によって携帯端末装置に送信する識別情報送信部と、を備えるコンテンツ表示装置と、
前記コンテンツ表示装置から送信される画像識別情報を受信する識別情報受信部と、
識別情報受信部が受信した画像識別情報の履歴を作成する履歴作成部と、
履歴作成部が作成した履歴と、携帯端末装置のユーザを識別するユーザ識別情報とを関連付けてコンテンツ配信サーバ装置に送信する履歴送信部と、を備える携帯端末装置と、
画像コンテンツと表示スケジュールと関連付けて記憶するコンテンツ管理部と、
コンテンツ管理部に記憶された画像コンテンツと表示スケジュールとをコンテンツ表示装置に送信するコンテンツ配信部と、
携帯端末装置から画像識別情報の履歴と、該履歴に関連付けられたユーザ識別情報とを受信する履歴受信部と、
履歴受信部が受信した履歴に基づいて、画像コンテンツに含まれる複数の画像データを、履歴に含まれる画像識別情報に一致する画像識別情報が付された画像データである既読画像データと、履歴に含まれる画像識別情報に一致しない画像識別情報が付された画像データである未読画像データとに区別した履歴付画像コンテンツを作成するコンテンツ作成部と、
作成された履歴付画像コンテンツを情報処理装置に送信するコンテンツ送信部と、を備えるコンテンツ配信サーバ装置と、
画像データに基づく画像を表示する表示部と、
コンテンツ配信サーバ装置から送信される履歴付画像コンテンツを受信する受信部と、
受信部が受信した履歴付画像コンテンツに基づいて、既読画像データに基づく画像と未読画像データに基づく画像とを区別可能に表示部に表示させる表示制御部と、を備える情報処理装置と、を含み、
情報処理装置からコンテンツ配信サーバ装置に対して、ユーザ識別情報とともに履歴付画像コンテンツの送信が要求されると、コンテンツ配信サーバ装置は、ユーザ識別情報に関連付けられた履歴付画像コンテンツを、要求元の情報処理装置に送信することを特徴とするコンテンツ表示システム。
【請求項２】
履歴作成部は、識別情報受信部が画像識別情報を受信したときの通信状態に基づいて、受信した画像識別情報のうち、予め定める条件を満たした画像識別情報を選択して画像識別情報の履歴を作成することを特徴とする請求項１記載のコンテンツ表示システム。
【請求項３】
前記予め定める条件は、識別情報受信部が、画像識別情報を受信したときの受信電波の強度が、閾値を超えることであることを特徴とする請求項２記載のコンテンツ表示システム。
【請求項４】
自装置を識別する装置識別情報を送信する識別情報送信部を備える携帯端末装置と、
画像データに基づく画像を表示するコンテンツ表示部と、
画像データを識別する画像識別情報がそれぞれ付された複数の画像データを含む画像コンテンツと、該画像コンテンツに含まれる各画像データを表示部に表示させる順序および表示させる期間を示す表示スケジュールと、をコンテンツ配信サーバ装置から受信するコンテンツ受信部と、
コンテンツ受信部が受信した画像コンテンツと表示スケジュールとを記憶するコンテンツ記憶部と、
表示スケジュールに従って、画像コンテンツに含まれる各画像データに基づく画像をコンテンツ表示部に表示させるコンテンツ表示制御部と、
携帯端末装置から装置識別情報を受信する識別情報受信部と、
識別情報受信部が装置識別情報を受信したときにコンテンツ表示部に表示されている画像の画像データに付された画像識別情報の履歴を作成する履歴作成部と、
履歴作成部が作成した履歴と、装置識別情報とを関連付けてコンテンツ配信サーバ装置に送信する履歴送信部と、を備えるコンテンツ表示装置と、
画像コンテンツと表示スケジュールと関連付けて記憶するコンテンツ管理部と、
コンテンツ管理部に記憶された画像コンテンツと表示スケジュールとをコンテンツ表示装置に送信するコンテンツ配信部と、
コンテンツ表示装置から画像識別情報の履歴と、装置識別情報とを受信する履歴受信部と、
履歴受信部が受信した履歴に基づいて、画像コンテンツに含まれる複数の画像データを、履歴に含まれる画像識別情報に一致する画像識別情報が付された画像データである既読画像データと、履歴に含まれる画像識別情報に一致しない画像識別情報が付された画像データである未読画像データとに区別した履歴付画像コンテンツを作成するコンテンツ作成部と、
作成された履歴付画像コンテンツを情報処理装置に送信するコンテンツ送信部と、を備えるコンテンツ配信サーバ装置と、
画像データに基づく画像を表示する表示部と、
コンテンツ配信サーバ装置から送信される履歴付画像コンテンツを受信する受信部と、
受信部が受信した履歴付画像コンテンツに基づいて、既読画像データに基づく画像と未読画像データに基づく画像とを区別可能に表示部に表示させる表示制御部と、を備える情報処理装置と、を含み、
情報処理装置からコンテンツ配信サーバ装置に対して、装置識別情報とともに履歴付画像コンテンツの送信が要求されると、コンテンツ配信サーバ装置は、装置識別情報に関連付けられた履歴付画像コンテンツを、要求元の情報処理装置に送信することを特徴とするコンテンツ表示システム。
【請求項５】
履歴作成部は、識別情報受信部が装置識別情報を受信したときの通信状態に基づいて、装置識別情報を受信したときにコンテンツ表示部に表示されている画像の画像データに付された画像識別情報のうち、予め定める条件を満たした画像識別情報を選択して画像識別情報の履歴を作成することを特徴とする請求項４記載のコンテンツ表示システム。
【請求項６】
前記予め定める条件は、識別情報受信部が、画像識別情報を受信したときの受信電波の強度が、閾値を超えることであることを特徴とする請求項５記載のコンテンツ表示システム。
【発明の詳細な説明】
【技術分野】
【０００１】
本発明は、いわゆるデジタルサイネージ装置を含むコンテンツ表示システムに関する。
【背景技術】
【０００２】
近年、公共の場所などにおいて不特定多数の者に対して広告・宣伝を行うためのツールとして、デジタルサイネージ（電子看板）装置が用いられている。デジタルサイネージ装置は、デジタル画像によって作成された広告画像を表示可能な画像表示部を備えて構成され、広告画像を表示する時間帯などのスケジュールを適宜設定することが可能であり、広告配信サーバ装置との通信によって、表示させる広告画像の内容を容易に変更することができる。これにより、効果的な時間帯に最新の情報を視聴者に提供することができ、従来の看板に比べて優れた広告効果を有する。
【０００３】
また、デジタルサイネージ装置を応用して、学校や会社など特定の集団に対して全体的な連絡事項を表示するなど集団向けの情報表示装置としても活用されている。
【０００４】
デジタルサイネージ装置の表示が、広告表示の場合であっても、情報表示の場合であっても、視聴者は歩きながら、または短時間だけ立ち止まってデジタルサイネージ装置の表示画像を見ることが多く、表示されていた広告や情報などの詳細については、後からゆっくりと確認したいという要望もある。
【０００５】
このような要望は、たとえば、ＰＣ（パーソナルコンピュータ）などの情報処理装置において、広告配信サーバ装置、情報配信サーバ装置などのコンテンツ配信サーバ装置から、情報表示装置で表示されていたコンテンツまたは表示されていたコンテンツを受信して情報処理装置にてコンテンツを改めて表示する表示システムによって実現できる。
【０００６】
このような表示システムでは、情報処理装置にてコンテンツを改めて確認することができるが、視聴者が情報表示装置で実際に見た情報がどの情報であるのかは不明であるので、情報処理装置で受信したコンテンツの中から視聴者が見たい情報、すなわち視聴者が情報表示装置で見かけて後で見直して確認しようと思った情報を、探し出す必要があり、作業性が悪い。
【０００７】
特許文献１には、コンテンツ評価装置が備える加速度センサによって、評価装置を所持するユーザが運動中であるか否かを示す運動状況、評価装置の傾きに基づいてユーザがコンテンツを閲覧しているか否かを示す閲覧状況を特定して、コンテンツに対するユーザの興味の程度を示す評価値を算出するコンテンツ評価装置が開示されている。
【先行技術文献】
【特許文献】
【０００８】
【特許文献１】特開２０１２−８８８０９号公報
【発明の概要】
【発明が解決しようとする課題】
【０００９】
特許文献１記載のコンテンツ評価装置は、コンテンツを表示する評価装置自身をユーザが携帯するものであるので、運動状況や閲覧状況などを特定して直接的にコンテンツに対する評価値を算出することが可能である。
【００１０】
しかしながら、上記のように、広告表示または情報表示など一方的に情報表示装置で表示された画像のうち、視聴者が実際に見たまたは見た可能性が高いと推測される画像を特定することは、特許文献１記載のコンテンツ評価装置を利用しても困難である。
【００１１】
本発明の目的は、情報処理装置にてコンテンツを改めて確認するときのユーザの負荷を軽減することができるコンテンツ表示システムを提供することである。
【課題を解決するための手段】
【００１２】
本発明は、画像データに基づく画像を表示するコンテンツ表示部と、
画像データを識別する画像識別情報がそれぞれ付された複数の画像データを含む画像コンテンツと、該画像コンテンツに含まれる各画像データを表示部に表示させる順序および表示させる期間を示す表示スケジュールと、を前記コンテンツ配信サーバ装置から受信するコンテンツ受信部と、
コンテンツ受信部が受信した画像コンテンツと表示スケジュールとを記憶するコンテンツ記憶部と、
表示スケジュールに従って、画像コンテンツに含まれる各画像データに基づく画像をコンテンツ表示部に表示させるコンテンツ表示制御部と、
コンテンツ表示部に表示されている画像の画像データに付された画像識別情報を、無線通信によって携帯端末装置に送信する識別情報送信部と、を備えるコンテンツ表示装置と、
前記コンテンツ表示装置から送信される画像識別情報を受信する識別情報受信部と、
識別情報受信部が受信した画像識別情報の履歴を作成する履歴作成部と、
履歴作成部が作成した履歴と、携帯端末装置のユーザを識別するユーザ識別情報とを関連付けてコンテンツ配信サーバ装置に送信する履歴送信部と、を備える携帯端末装置と、
画像コンテンツと表示スケジュールと関連付けて記憶するコンテンツ管理部と、
コンテンツ管理部に記憶された画像コンテンツと表示スケジュールとをコンテンツ表示装置に送信するコンテンツ配信部と、
携帯端末装置から画像識別情報の履歴と、該履歴に関連付けられたユーザ識別情報とを受信する履歴受信部と、
履歴受信部が受信した履歴に基づいて、画像コンテンツに含まれる複数の画像データを、履歴に含まれる画像識別情報に一致する画像識別情報が付された画像データである既読画像データと、履歴に含まれる画像識別情報に一致しない画像識別情報が付された画像データである未読画像データとに区別した履歴付画像コンテンツを作成するコンテンツ作成部と、
作成された履歴付画像コンテンツを情報処理装置に送信するコンテンツ送信部と、を備えるコンテンツ配信サーバ装置と、
画像データに基づく画像を表示する表示部と、
コンテンツ配信サーバ装置から送信される履歴付画像コンテンツを受信する受信部と、
受信部が受信した履歴付画像コンテンツに基づいて、既読画像データに基づく画像と未読画像データに基づく画像とを区別可能に表示部に表示させる表示制御部と、を備える情報処理装置と、を含み、
情報処理装置からコンテンツ配信サーバ装置に対して、ユーザ識別情報とともに履歴付画像コンテンツの送信が要求されると、コンテンツ配信サーバ装置は、ユーザ識別情報に関連付けられた履歴付画像コンテンツを、要求元の情報処理装置に送信することを特徴とするコンテンツ表示システムである。
【００１３】
また本発明は、履歴作成部は、識別情報受信部が画像識別情報を受信したときの通信状態に基づいて、受信した画像識別情報のうち、予め定める条件を満たした画像識別情報を選択して画像識別情報の履歴を作成することを特徴とする。
【００１４】
また本発明は、前記予め定める条件は、識別情報受信部が、画像識別情報を受信したときの受信電波の強度が、閾値を超えることであることを特徴とする。
【００１５】
また本発明は、自装置を識別する装置識別情報を送信する識別情報送信部を備える携帯端末装置と、
画像データに基づく画像を表示するコンテンツ表示部と、
画像データを識別する画像識別情報がそれぞれ付された複数の画像データを含む画像コンテンツと、該画像コンテンツに含まれる各画像データを表示部に表示させる順序および表示させる期間を示す表示スケジュールと、を前記コンテンツ配信サーバ装置から受信するコンテンツ受信部と、
コンテンツ受信部が受信した画像コンテンツと表示スケジュールとを記憶するコンテンツ記憶部と、
表示スケジュールに従って、画像コンテンツに含まれる各画像データに基づく画像をコンテンツ表示部に表示させるコンテンツ表示制御部と、
携帯端末装置から装置識別情報を受信する識別情報受信部と、
識別情報受信部が装置識別情報を受信したときにコンテンツ表示部に表示されている画像の画像データに付された画像識別情報の履歴を作成する履歴作成部と、
履歴作成部が作成した履歴と、装置識別情報とを関連付けてコンテンツ配信サーバ装置に送信する履歴送信部と、を備えるコンテンツ表示装置と、
画像コンテンツと表示スケジュールと関連付けて記憶するコンテンツ管理部と、
コンテンツ管理部に記憶された画像コンテンツと表示スケジュールとをコンテンツ表示装置に送信するコンテンツ配信部と、
コンテンツ表示装置から画像識別情報の履歴と、装置識別情報とを受信する履歴受信部と、
履歴受信部が受信した履歴に基づいて、画像コンテンツに含まれる複数の画像データを、履歴に含まれる画像識別情報に一致する画像識別情報が付された画像データである既読画像データと、履歴に含まれる画像識別情報に一致しない画像識別情報が付された画像データである未読画像データとに区別した履歴付画像コンテンツを作成するコンテンツ作成部と、
作成された履歴付画像コンテンツを情報処理装置に送信するコンテンツ送信部と、を備えるコンテンツ配信サーバ装置と、
画像データに基づく画像を表示する表示部と、
コンテンツ配信サーバ装置から送信される履歴付画像コンテンツを受信する受信部と、
受信部が受信した履歴付画像コンテンツに基づいて、既読画像データに基づく画像と未読画像データに基づく画像とを区別可能に表示部に表示させる表示制御部と、を備える情報処理装置と、を含み、
情報処理装置からコンテンツ配信サーバ装置に対して、装置識別情報とともに履歴付画像コンテンツの送信が要求されると、コンテンツ配信サーバ装置は、装置識別情報に関連付けられた履歴付画像コンテンツを、要求元の情報処理装置に送信することを特徴とするコンテンツ表示システムである。
【００１６】
また本発明は、履歴作成部は、識別情報受信部が装置識別情報を受信したときの通信状態に基づいて、装置識別情報を受信したときにコンテンツ表示部に表示されている画像の画像データに付された画像識別情報のうち、予め定める条件を満たした画像識別情報を選択して画像識別情報の履歴を作成することを特徴とする。
【００１７】
また本発明は、前記予め定める条件は、識別情報受信部が、画像識別情報を受信したときの受信電波の強度が、閾値を超えることであることを特徴とする。
【発明の効果】
【００１８】
本発明によれば、コンテンツ表示装置と、携帯端末装置と、コンテンツ配信サーバ装置と、情報処理装置とを含むコンテンツ表示システムである。
【００１９】
コンテンツ表示装置は、画像コンテンツと表示スケジュールとをコンテンツ配信サーバ装置から受信し、表示スケジュールに従って、画像コンテンツに含まれる各画像データに基づく画像をコンテンツ表示部に表示させる。コンテンツ表示部に表示されている画像の画像データに付された画像識別情報を、無線通信によって携帯端末装置に送信する。
【００２０】
携帯端末装置は、コンテンツ表示装置から送信される画像識別情報を受信し、受信した画像識別情報の履歴を作成し、履歴と、携帯端末装置のユーザを識別するユーザ識別情報とを関連付けてコンテンツ配信サーバ装置に送信する。
【００２１】
コンテンツ配信サーバ装置は、携帯端末装置から画像識別情報の履歴と、該履歴に関連付けられたユーザ識別情報とを受信し、受信した履歴に基づいて、画像コンテンツに含まれる複数の画像データを、履歴に含まれる画像識別情報に一致する画像識別情報が付された画像データである既読画像データと、履歴に含まれる画像識別情報に一致しない画像識別情報が付された画像データである未読画像データとに区別した履歴付画像コンテンツを作成して情報処理装置に送信する。
【００２２】
情報処理装置は、コンテンツ配信サーバ装置から送信される履歴付画像コンテンツを受信し、受信部が受信した履歴付画像コンテンツに基づいて、既読画像データに基づく画像と未読画像データに基づく画像とを区別可能に表示部に表示する。
【００２３】
デジタルサイネージにおける既読画像と未読画像とが区別されて表示されるので、情報処理装置にてコンテンツを改めて確認するときのユーザの負荷を軽減することができる。
【００２４】
また本発明によれば、画像識別情報を受信したときの通信状態に基づいて、受信した画像識別情報のうち、予め定める条件を満たした画像識別情報を選択して画像識別情報の履歴を作成する。
【００２５】
画像識別情報を受信したものを全て既読画像とみなしてしまうと、実際にはユーザが見ていない画像も既読画像として区別されてしまうので、通信状態に基づいて履歴として残す画像識別情報を選択することで、実際にユーザが実際に見た可能性が高い画像を既読画像とすることができる。
【００２６】
また本発明によれば、識別情報受信部が、画像識別情報を受信したときの受信電波の強度が閾値を超えると、その画像識別情報を履歴として残すので、実際にユーザが実際に見た可能性が高い画像を既読画像とすることができる。
【００２７】
また本発明によれば、コンテンツ表示装置と、携帯端末装置と、コンテンツ配信サーバ装置と、情報処理装置とを含むコンテンツ表示システムである。
【００２８】
携帯端末装置は、自装置を識別する装置識別情報を送信する。コンテンツ表示装置は、画像コンテンツと表示スケジュールとをコンテンツ配信サーバ装置から受信し、表示スケジュールに従って、画像コンテンツに含まれる各画像データに基づく画像をコンテンツ表示部に表示させる。携帯端末装置から装置識別情報を受信すると、識別情報受信部が装置識別情報を受信したときにコンテンツ表示部に表示されている画像の画像データに付された画像識別情報の履歴を作成し、作成した履歴と、装置識別情報とを関連付けてコンテンツ配信サーバ装置に送信する。
【００２９】
コンテンツ配信サーバ装置は、コンテンツ表示装置から画像識別情報の履歴と、装置識別情報とを受信し、受信した履歴に基づいて、画像コンテンツに含まれる複数の画像データを、履歴に含まれる画像識別情報に一致する画像識別情報が付された画像データである既読画像データと、履歴に含まれる画像識別情報に一致しない画像識別情報が付された画像データである未読画像データとに区別した履歴付画像コンテンツを作成して、情報処理装置に送信する。
【００３０】
情報処理装置は、コンテンツ配信サーバ装置から送信される履歴付画像コンテンツを受信し、受信した履歴付画像コンテンツに基づいて、既読画像データに基づく画像と未読画像データに基づく画像とを区別可能に表示部に表示させる。
【００３１】
デジタルサイネージにおける既読画像と未読画像とが区別されて表示されるので、情報処理装置にてコンテンツを改めて確認するときのユーザの負荷を軽減することができる。
【００３２】
また本発明によれば、装置識別情報を受信したときの通信状態に基づいて、装置識別情報を受信したときにコンテンツ表示部に表示されている画像の画像データに付された画像識別情報のうち、予め定める条件を満たした画像識別情報を選択して画像識別情報の履歴を作成する。
【００３３】
通信状態に基づいて履歴として残す画像識別情報を選択することで、実際にユーザが実際に見た可能性が高い画像を既読画像とすることができる。
【００３４】
また本発明によれば、識別情報受信部が、画像識別情報を受信したときの受信電波の強度が、閾値を超えることであることを特徴とする。識別情報受信部が、画像識別情報を受信したときの受信電波の強度が閾値を超えると、その画像識別情報を履歴として残すので、実際にユーザが実際に見た可能性が高い画像を既読画像とすることができる。
【図面の簡単な説明】
【００３５】
【図１】本発明の第１実施形態であるコンテンツ表示システムＳにおけるコンテンツ表示処理の流れを示す図である。
【図２】受信履歴の作成処理を表すフローチャートである。
【図３】電波強度の経時変化を示すグラフである。
【図４】行動ポイントの推移を示すグラフである。
【図５】本発明の第２実施形態であるコンテンツ表示システムＳにおけるコンテンツ表示処理の流れを示す図である。
【発明を実施するための形態】
【００３６】
図１は、本発明の第１実施形態であるコンテンツ表示システムＳにおけるコンテンツ表示処理の流れを示す図である。
【００３７】
コンテンツ表示システム（以下では、「表示システム」という）Ｓは、ウェブサーバ装置１、サイネージ端末装置２、携帯端末装置３、サイネージ視聴履歴データベース（ＤＢ）４、パーソナルコンピュータ（ＰＣ）５を含んで構成される。
【００３８】
ウェブサーバ装置１は、コンテンツ配信サーバ装置であり、サイネージ端末装置２に対して、画像コンテンツと表示スケジュールとを送信する。画像コンテンツは、サイネージ端末装置２が表示すべき画像の画像データを複数含む。サイネージ端末装置２が表示すべき画像は、広告情報または連絡事項情報などの各種情報を表す情報画像であり、画像コンテンツには、基本的に複数の情報画像を表示するための複数の画像データが含まれている。表示スケジュールは、画像コンテンツに含まれる画像データに基づく画像を、サイネージ端末装置２のどのような順序で、どの期間に表示するかを示す。
【００３９】
サイネージ端末装置２は、コンテンツ表示装置であり、画像コンテンツに基づく複数の情報画像を表示する。情報画像の表示は、サイネージ端末装置２が、ウェブサーバ装置１から画像コンテンツと表示スケジュールとを受信すると、受信した表示スケジュールに従い、表示スケジュールに示される順序および期間の通りに、画像コンテンツに含まれる画像データに基づく情報画像を表示する。
【００４０】
画像コンテンツに含まれる画像データには、各画像データを識別することが可能な識別情報である画像識別情報が、画像データに付されている。上記のように、サイネージ端末装置２は、表示スケジュールに従って、画像コンテンツに含まれる画像データに基づく画像を表示するが、このとき、現在サイネージ端末装置２で表示している画像が特定できるように、表示している画像の画像データに対して付された画像識別情報を無線通信によって送信する。画像コンテンツに含まれる画像データに基づく画像を表示する期間は、予め表示スケジュールによって決められているので、各画像データに対して決められた画像の表示期間に、画像を表示するとともに、表示する画像の画像データに付されている画像識別情報を送信するようにすればよい。
【００４１】
サイネージ端末装置２から送信された画像識別情報は、携帯端末装置３が受信することになるが、画像識別情報を携帯端末装置３が受信することで、画像識別情報によって識別される画像データに基づいてサイネージ端末装置２に表示されている画像を、携帯端末装置３を携帯しているユーザが、見たと推測する。
【００４２】
したがって、画像識別情報の送信は、サイネージ端末装置２に表示された画像を視聴できる程度の距離内に居るユーザ、すなわちサイネージ端末装置２に表示された画像を視聴できる程度の距離内に存在する携帯端末装置３が受信できるように行わなければならない。表示された画像を見ることができないユーザの携帯端末装置３にまで、画像識別情報が送信されてしまうと、ユーザがサイネージ端末装置２に表示されている画像を見たと推測することができなくなる。
【００４３】
また、画像識別情報は、特定の携帯端末装置３に対して送信されるのではなく、ブロードキャスト送信のように、サイネージ端末装置２付近を移動する不特定の携帯端末装置３に対して送信されなければならない。なお、ここでいう不特定の携帯端末装置３とは、予めウェブサーバ装置１に何の登録もされていない不特定の携帯端末装置３だけではなく、改めて画像コンテンツをＰＣ５で閲覧するために、予めウェブサーバ装置１に登録されている携帯端末装置３ではあるが、サイネージ端末装置２付近に存在しているときには、ウェブサーバ装置１に対してログインしていたり、ウェブサーバ装置１を含むネットワークグループに属しているなど特定の状態にはない携帯端末装置３も含むものである。
【００４４】
このような距離条件および送信先条件を満たすような、いわゆる近距離無線通信が可能な通信方式としては、たとえば、ＩＥＥＥ８０２．１１規格の通信方式、
Ｂｌｕｅｔｏｏｔｈ（登録商標）規格の通信方式がある。ＩＥＥＥ８０２．１１規格であれば、無線通信距離は、数１０ｍ程度であり、Ｂｌｕｅｔｏｏｔｈ（登録商標）規格であれば、無線通信距離は、１０ｍ〜１００ｍ程度である。
【００４５】
また、詳細については後述するが、携帯端末装置３を携帯しているユーザが、サイネージ端末装置２に表示されている画像を見たかどうかの推測は、たとえば、これらの通信方式を利用して、携帯端末装置３が、サイネージ端末装置２から送信される電波を受信できれば、見たものと推測し、受信できなければ見ていないと推測してもよい。受信電波の電波強度が、電波発信源からの距離に応じて減衰するという物理現象を利用して、サイネージ端末装置２に表示された画像を見ることができる最大距離における受信電波の電波強度の平均値を閾値として予め設定しておき、携帯端末装置３がサイネージ端末装置２から電波を受信したときの電波強度が閾値以上であれば、見たものと推測し、閾値よりも小さければ見ていないと推測してもよい。
【００４６】
携帯端末装置３は、携帯電話装置や携帯情報端末装置などで実現され、少なくとも画像識別情報をサイネージ端末装置２から受信できる機能と、受信した画像識別装置の履歴を作成する機能と、作成した履歴をサイネージ視聴履歴ＤＢ４に対して送信する機能を有していればよく、その他の機能として各種の画像を表示する画像表示機能、電話通信を行う通話機能などは、本発明の表示システムにおいて携帯端末装置３が有していてもよいが、必須の機能ではない。
【００４７】
携帯端末装置３は、作成した履歴を、たとえば移動体通信網などのネットワークＮを介してサイネージ視聴履歴ＤＢ４に送信する。このとき、履歴を送信した携帯端末装置３のユーザが後から特定できるように、ユーザＩＤなど携帯端末装置３のユーザを識別するためのユーザ識別情報を、作成した履歴に関連付けて送信する。
【００４８】
サイネージ視聴履歴ＤＢ４は、携帯端末装置３から送信される履歴とユーザ識別情報とを関連付けて記憶する。サイネージ視聴履歴ＤＢは、ウェブサーバ装置１からの問い合わせに対して、記憶している履歴をウェブサーバ装置１に送信する。
【００４９】
ＰＣ５は、液晶ディスプレイなどの表示装置、ウェブサーバ装置１との通信機能を備えたコンピュータ、キーボードやマウス、タッチパネルなどの入力装置を備える情報処理装置である。ＰＣ５は、サイネージ端末装置２で表示されていた画像コンテンツを、ユーザが後から確認するために、画像コンテンツをウェブサーバ装置１から受信して、表示装置に画像コンテンツに基づく画像を表示する。
【００５０】
サイネージ端末装置２は、表示される情報を視聴するユーザの都合とは無関係に、表示スケジュールに従って、情報画像を表示するので、サイネージ端末装置２に表示されている情報画像を、ユーザが詳細に見ることは難しい。表示されている情報画像をユーザが見たときに、一部の情報しか見ることができず、また別の情報画像に表示が切り換わってしまった場合には、表示スケジュールに従って再度同じ情報画像が表示されるまで待って、詳細を確認することも考えられるが、ユーザにとっては、再度同じ情報画像が表示されるかどうかが不明であり、表示されるとしてもいつ表示されるかは不明であるために、サイネージ端末装置２の前から立ち去るしかない。
【００５１】
このような場合に、サイネージ端末装置２で表示されていた画像コンテンツに基づく情報画像を、後からＰＣ５の表示装置に表示させれば、ユーザは、サイネージ端末装置２に表示されていた情報画像の詳細を改めて確認することができる。
【００５２】
サイネージ端末装置２に表示される情報画像の画像コンテンツは、複数の画像データで構成されているので、後からＰＣ５の表示装置で情報画像を表示させるときには、画像コンテンツに基づく情報画像が全て表示可能であり、ユーザは、詳細に見たいと思う情報画像を、複数の情報画像の中からユーザ自身が選択しなければならなくなる。
【００５３】
そこで、本発明の表示システムでは、携帯端末装置３が作成し、サイネージ視聴履歴ＤＢ４に記憶された履歴を利用して、ウェブサーバ装置１が、画像コンテンツの画像データを、ユーザが見たと推測される画像データとユーザが見ていないと推測される画像データとに区別して、ＰＣ５に送信する。
【００５４】
ＰＣ５では、ユーザが見たと推測される画像データに基づく情報画像を表示する際に、ユーザがサイネージ端末装置２で表示された情報画像を見たものとして扱う。ユーザが見ていないと推測される画像データに基づく情報画像を表示する際にも同様に、ユーザがサイネージ端末装置２で表示された情報画像を見ていないものとして扱う。
【００５５】
ユーザは、詳細に見たいと思う情報画像を、画像コンテンツの中から、自身の記憶に頼って探し出す必要がなく、ユーザが見たものとして扱われている情報画像を確認すればよいので、ＰＣ５で情報画像を確認するときのユーザの負荷が大きく軽減される。
【００５６】
以下では、表示システムＳにおけるコンテンツ表示処理について詳細に説明する。
ウェブサーバ装置１は、サイネージ端末装置２で表示すべき画像コンテンツを管理しており、必要に応じて画像コンテンツと、その画像コンテンツをサイネージ端末装置２に表示させる表示スケジュールとを、サイネージ端末装置２に対して送信する（処理Ａ１）。
【００５７】
サイネージ端末装置２は、ウェブサーバ装置１とデータ通信可能に構成されており、ウェブサーバ装置１から送信される画像コンテンツと表示スケジュールとを受信する。サイネージ端末装置２は、受信した画像コンテンツと表示スケジュールとを記憶する。
【００５８】
サイネージ端末装置２は、表示スケジュールの内容を解釈し、解釈した内容に応じて、大型の表示ディスプレイに、画像コンテンツに含まれる画像データに基づく情報画像を表示する。表示スケジュールには、画像コンテンツに含まれる画像データに対して、表示すべき順序と表示すべき期間が設定されている。サイネージ端末装置２は、１つの情報画像を、設定されている表示期間の開始から終了まで連続して表示ディスプレイに表示し、表示期間が終了すると、表示順序に基づいて次に表示すべき画像データを選択して、選択した画像データに基づく画像を、設定されている表示期間だけ表示ディスプレイに表示する。このような表示を、画像コンテンツに含まれる全ての画像データについて、繰り返し行い、表示順序として最後に設定されている画像データに基づく画像の表示期間が終了すると、表示順序として最初に設定されている画像データに基づく画像の表示を開始する。
【００５９】
サイネージ端末装置２は、設定された表示期間に表示ディスプレイに画像を表示している間、表示している画像の画像データに付された画像識別情報を、無線通信によって携帯端末装置３に向けて送信する（処理Ａ２）。画像識別情報は、１つの画像データに基づく画像の表示期間全体にわたって、連続して送信する。画像識別情報を受信する携帯端末装置が、表示期間のうちのどのタイミングで画像識別情報を受信できるような状態となるか、すなわち、サイネージ端末装置２との距離が、無線通信可能な距離に近づくかは、予測することができないので、画像識別情報は、表示期間中に送信し続けることが好ましい。
【００６０】
ここで、連続して送信するとは、たとえば、数ｍ秒から数百ｍ秒単位で繰り返し、同じ画像識別情報を送信することをいう。
【００６１】
携帯端末装置３は、携帯端末装置３のユーザが携帯しているものとし、携帯端末装置３が、サイネージ端末装置２から無線送信される画像識別情報を受信した場合は、受信した携帯端末装置３を携帯していたユーザが、少なくともサイネージ端末装置２で表示されている情報画像を視聴することが可能な状態にあったと推測することができる。
【００６２】
携帯端末装置３は、サイネージ端末装置２から送信される画像識別情報を受信すると、受信した画像識別情報の受信履歴を作成して記憶する（処理Ａ３）。たとえば、ユーザがある程度の時間サイネージ端末装置２の付近に滞在している場合には、その滞在している間に、サイネージ端末装置２が表示する画像が切り換わる場合がある。１つの表示画像の表示期間が終了して次の情報画像の表示期間が開始され、サイネージ端末装置２が表示する情報画像が切り換わると、切り換わった情報画像の画像データに付された画像識別情報が新たにサイネージ端末装置２から送信される。この新たに送信される画像識別情報も、携帯端末装置３が受信した場合は、先に受信した画像識別情報に加えてさらに、新たに受信した画像識別情報も受信履歴として記憶する。
【００６３】
したがって、ユーザが、サイネージ端末装置２が表示する情報表示を見ようとして長時間滞在するほど、受信する画像識別情報が増えることになり、携帯端末装置３が作成する受信履歴に残す画像識別情報も増える。
【００６４】
本実施形態では、受信履歴の作成にあたって、最初に受信した画像識別情報から最後に受信した画像識別情報までを全て受信履歴として残す。最後に受信した画像識別情報は、たとえば次のようにして判断する。サイネージ端末装置２は、１つの情報画像を表示している間、表示している情報画像の画像データに付された画像識別情報を連続して送信し続けるので、携帯端末装置３がサイネージ端末装置２付近に存在する間は、連続して画像識別情報を受信することになる。ユーザがサイネージ端末装置２から離れて、情報画像を見ることができなくなるような距離まで移動すると、携帯端末装置３は、サイネージ端末装置２から画像識別情報を受信することができなくなる。携帯端末装置３が、サイネージ端末装置２から画像識別情報を受信することができなくなった時点で、それまで受信していた画像識別情報を最後に受信した画像識別情報と判断する。
【００６５】
このようにして携帯端末装置３が作成した画像識別情報の受信履歴は視聴履歴として、携帯端末装置３から、ネットワークＮを介してサイネージ視聴履歴ＤＢ４へと送信される（処理Ａ４）。このとき、受信履歴とともに、携帯端末装置３に予め登録されているユーザ識別情報を受信履歴に関連付けてサイネージ視聴履歴ＤＢ４へ送信する。
【００６６】
なお、ユーザ識別情報は、受信履歴を作成した携帯端末装置３のユーザを識別することができればよいので、ＰＣ５で画像コンテンツを閲覧するときに、ウェブサーバ装置１にログインするためのユーザＩＤなどであってもよく、携帯端末装置３の製造番号や携帯端末装置３に割り振られた単一のアドレスなど、携帯端末装置を他の装置から識別することができる装置識別情報であってもよい。
【００６７】
ユーザは、サイネージ端末装置２に表示される情報画像を見た後、改めて情報画像を確認したい場合には、ＰＣ５を操作して（処理Ａ５）、画像コンテンツを管理しているウェブサーバ装置１にアクセスし、ウェブサーバ装置１から画像コンテンツＰＣ５に送信させるように要求する（処理Ａ６）。
【００６８】
画像コンテンツの表示は、どのような表示形態でもよいが、ウェブサーバ装置１が、画像コンテンツに含まれる画像データを埋め込んだウェブページを作成し、ＰＣ５は、作成されたウェブページを受信して、ウェブページを表示するブラウザなどによって受信したウェブページを表示する。
【００６９】
ＰＣ５から、ウェブサーバ装置１にアクセスするときには、ユーザＩＤを用いてウェブサーバ装置１にログインし、ログインした状態で、画像コンテンツのＰＣ５への送信を要求する。ウェブサーバ装置１は、画像コンテンツの送信要求をＰＣ５から受けると、要求された画像コンテンツに対して視聴履歴があるかないかをサイネージ視聴履歴ＤＢ４に問い合わせる。サイネージ端末装置２で表示されている情報画像を見ているユーザは複数存在する、すなわち画像識別情報を受信し、受信履歴を作成してサイネージ視聴履歴ＤＢ４に対して受信履歴を送信している携帯端末装置３は、複数存在するので、サイネージ視聴履歴ＤＢ４には、受信履歴に対して、前述のようにユーザ識別情報が関連付けて記憶され、どのユーザの受信履歴であるかが特定できるようになっている。
【００７０】
ウェブサーバ装置１がサイネージ視聴履歴ＤＢ４へ受信履歴の有無を問い合わせるときには、ＰＣ５がウェブサーバ装置１にログインしたときに用いたユーザＩＤを、サイネージ視聴履歴ＤＢ４に送信する必要がある。
【００７１】
サイネージ視聴履歴ＤＢ４は問い合わせに対して、ウェブサーバ装置１から送信されたユーザＩＤに関連付けられて記憶されている受信履歴を選択し、選択した受信履歴を、問い合わせ元のウェブサーバ装置１に送信する（処理Ａ７）。
【００７２】
ウェブサーバ装置１は、受信履歴を受信すると、受信履歴に基づいて、画像コンテンツに含まれる複数の画像データを、ユーザがサイネージ端末装置２で表示された状態の情報画像を見たと推測される画像データである既読画像データと、ユーザがサイネージ端末装置２で表示された状態の情報画像を見ていないと推測される画像データである未読画像データとに区別する。
【００７３】
ウェブサーバ装置１が、画像コンテンツに含まれる画像データを埋め込んだウェブページを作成するにあたって、上記のようにして区別された既読画像データと未読画像データとがユーザの目で見てわかるように、既読画像データと未読画像データとで表示する態様を変えて作成し、ＰＣ５に送信する（処理Ａ８）。
【００７４】
たとえば、画像コンテンツを表示させるためのウェブページは、画像コンテンツに含まれる画像データを全て表示するようなウェブページではなく、各情報画像に対してタイトルなどを設定し、タイトルのみをリスト表示するようなウェブページを作成し、各タイトルに対して画像データへのリンクを設定しておく。画像コンテンツを閲覧しようとするユーザは、まず、画像コンテンツの各画像データに設定されたタイトルリストを見て、その中から、情報画像を表示させたいタイトルを選択する。
【００７５】
このタイトルリストにおいて、既読画像データに設定されたタイトルの表示態様と未読画像データに設定されたタイトルの表示態様とを異ならせる。たとえば、既読画像データに設定されたタイトルは、赤色で表示し、未読画像データに設定されたタイトルは青色で表示する。
【００７６】
ユーザは、ＰＣ５に表示されたタイトルから、既読を表す赤色で表示されたタイトルを選択することで、サイネージ端末装置２に表示されている状態で見た情報画像を容易に選択してＰＣ５に表示させることができる。
【００７７】
また、タイトルリストにおいて、既読画像データに設定されたタイトルだけを集めて別のタイトルリストであるサイネージ視聴済みリストを作成してもよい。
【００７８】
本実施形態では、携帯端末装置３は、受信した画像識別情報の全てを含む受信履歴を作成し、サイネージ視聴履歴ＤＢ４に送信するものと説明していたが、受信履歴には、受信した画像識別情報の全てを含む必要はない。
【００７９】
たとえば、ユーザがサイネージ端末装置２から離れて、画像識別情報を受信できる最大の距離まで離れた状態では、画像識別情報を携帯端末装置３が受信したとしても、そのときにサイネージ端末装置２に表示されている情報画像をユーザが視聴した可能性は低い。したがって、受信した画像識別情報のうち、予め定める条件を満足した画像識別情報のみを含む受信履歴を作成することが好ましい。
【００８０】
予め定める条件は、ユーザがサイネージ端末装置２に表示されている情報画像を見た可能性が高いと判断できる条件であり、サイネージ端末装置２から画像識別情報を受信したときの通信状態に基づく条件である。
【００８１】
図２は、受信履歴の作成処理を表すフローチャートである。
ステップＳ１では、サイネージ端末装置２から画像識別情報を送信する無線通信の電波が届いているかどうかを判断する。電波が携帯端末装置３に届いていなければ、ステップＳ４に進み、届いていればステップＳ２に進む。電波が届いているかどうかは、電波の受信強度が、一定の強度を超えているかどうかで判断する。
【００８２】
ステップＳ２では、画像識別情報を受信した電波の強度および電波を受信した受信時間を計測する。計測された電波の強度は、たとえば、図３の電波強度の経時変化を示すグラフのように計測される。
【００８３】
ステップＳ３では、電波受信時間におけるユーザの行動を推定する。ユーザの行動とは、たとえば、移動中であるかユーザが携帯端末装置３を操作しているかなどである。このような行動の推定は、たとえば、特開２０１２−８８８０９号公報に記載されるような、加速度センサの検出値や、携帯端末装置の傾き、タッチパネルやキーの操作の有無などに基づいて為される。
【００８４】
電波受信時間において、ユーザが何らかの行動を行っていると推定されたときとユーザが行動していないと推定されるときとでそれぞれ行動ポイントを設定し、実際の電波受信時間に、一定間隔で行動を推定し、その結果に基づいて行動ポイントを決定する。たとえば、ユーザが何らかの行動を行っていると推定されるときは行動ポイントを２ポイント、行動していないと推定されるときは行動ポイントを１ポイントと行動していると推定される場合のポイントを高くする。行動ポイントの推移は、たとえば、図４に示す行動ポイントの推移を示すグラフによって表わされる。ユーザの行動の推定が終了するとステップＳ１に戻る。
【００８５】
ステップＳ４では、受信強度と受信時間の閾値を決定する。閾値の決定は、受信時間における行動ポイントを総合計し、総合計値に予め定める係数を乗算して閾値を算出する。
【００８６】
ステップＳ５では、ステップＳ４で、ユーザの推定行動に基づいて算出された閾値と、電波強度の積算値（図３のグラフにおける曲線と時間軸とで囲まれる面積に相当）とを比較し、電波強度の積算値が閾値よりも大きければ、ステップＳ６で、ユーザがサイネージ端末装置２に表示されている情報画像を見た可能性が高いとして、電波受信時間中に受信した画像識別情報を受信履歴に含ませる。
【００８７】
図２に示すフローチャートでは、ステップＳ１にて電波が届いていると判断したのち、電波受信時間中に受信した画像識別情報をステップＳ５，Ｓ６にて一括して判断し、受信履歴を作成しているが、本発明はこのような処理に限定されない。
【００８８】
たとえば、電波受信時間中に受信した画像識別情報毎に、それぞれの受信時間に応じてＳ４〜Ｓ６の処理を行うことで、画像識別情報を個別に判断し、判断結果に応じて受信履歴を作成してもよい。
【００８９】
図５は、本発明の第２実施形態であるコンテンツ表示システムＳにおけるコンテンツ表示処理の流れを示す図である。
【００９０】
第１実施形態と第２実施形態とで異なるのは、第１実施形態では、画像コンテンツの視聴履歴を携帯端末装置３が作成したのに対して、第２実施形態では、視聴履歴をサイネージ端末装置２Ａが作成する点である。
【００９１】
ウェブサーバ装置１は、必要に応じて画像コンテンツと、その画像コンテンツをサイネージ端末装置２に表示させる表示スケジュールとを、サイネージ端末装置２に対して送信する（処理Ｂ１）。
【００９２】
サイネージ端末装置２は、ウェブサーバ装置１から送信される画像コンテンツと表示スケジュールとを受信し、受信した画像コンテンツと表示スケジュールとを記憶する。
【００９３】
サイネージ端末装置２Ａは、表示スケジュールに従って、画像コンテンツに含まれる画像データに基づく情報画像を表示する。
【００９４】
サイネージ端末装置２Ａは、設定された表示期間に表示ディスプレイに画像を表示している間、携帯端末装置３Ａに対して、無線通信により端末識別情報またはユーザＩＤの送信を要求し、この要求を受けた携帯端末装置３は、装置識別情報またはユーザＩＤを、要求元のサイネージ端末装置２Ａ対して送信する（処理Ｂ２）。サイネージ端末装置２Ａが携帯端末装置３に送信要求を送信する無線通信は、第１実施形態において、サイネージ端末装置２が携帯端末装置３に画像識別情報を送信する通信方式と同様の通信方式を用いる。
【００９５】
サイネージ端末装置２Ａが、携帯端末装置３から装置識別情報を受信した場合は、携帯端末装置３Ａが、サイネージ端末装置２Ａからの送信要求を受信することができたことを示しており、このことは、携帯端末装置３Ａが、サイネージ端末装置２付近に存在したことを示すことになる。したがって、サイネージ端末装置２Ａが、携帯端末装置３Ａから装置識別情報またはユーザＩＤを受信した場合は、そのときにディスプレイに表示している画像の画像データに付された画像識別情報を視聴履歴として残す（処理Ｂ３）。
【００９６】
サイネージ端末装置２は、表示スケジュールに従って、表示する情報画像を切り換えたときに、携帯端末装置３Ａから装置識別情報またはユーザＩＤを受信したときは、表示を切り換えた情報画像の画像データに基づく画像識別情報を視聴履歴に加える。表示する情報画像を切り換えるごとに、これを繰り返し、携帯端末装置３Ａから装置識別情報またはユーザＩＤを受信するたびに、そのときに表示している情報画像の画像データに基づく画像識別情報を視聴履歴に加え、視聴履歴を作成して記憶する。
【００９７】
本実施形態では、視聴履歴の作成にあたって、最初に装置識別情報を受信したときの画像識別情報から最後に装置識別情報を受信したときの画像識別情報までの全てを視聴履歴として残す。
【００９８】
このようにして携帯端末装置３が作成した画像識別情報の視聴履歴は、サイネージ端末装置２Ａからサイネージ視聴履歴ＤＢ４へと送信される（処理Ｂ４）。このとき、受信履歴とともに、携帯端末装置３Ａから受信した装置識別情報またはユーザＩＤを視聴履歴に関連付けてサイネージ視聴履歴ＤＢ４へ送信する。
【００９９】
ユーザは、サイネージ端末装置２に表示される情報画像を見た後、改めて情報画像を確認したい場合には、ＰＣ５を操作して（処理Ｂ５）、画像コンテンツを管理しているウェブサーバ装置１にアクセスし、ウェブサーバ装置１から画像コンテンツをＰＣ５に送信させるように要求する（処理Ｂ６）。
【０１００】
画像コンテンツの表示は、第１実施形態と同様に、ＰＣ５が、画像コンテンツに含まれる画像データを埋め込んだウェブページを表示する。
【０１０１】
ＰＣ５から、ウェブサーバ装置１にアクセスするときには、ユーザＩＤを用いてウェブサーバ装置１にログインし、ログインした状態で、画像コンテンツのＰＣ５への送信を要求する。ウェブサーバ装置１は、画像コンテンツの送信要求をＰＣ５から受けると、要求された画像コンテンツに対して視聴履歴があるかないかをサイネージ視聴履歴ＤＢ４に問い合わせる。
【０１０２】
ウェブサーバ装置１がサイネージ視聴履歴ＤＢ４へ受信履歴の有無を問い合わせるときには、ＰＣ５がウェブサーバ装置１にログインしたときに用いたユーザＩＤをサイネージ視聴履歴ＤＢ４に送信する必要がある。または、携帯端末装置３Ａの装置識別情報を入力して、入力した装置識別情報をサイネージ視聴履歴ＤＢ４に送信する。
【０１０３】
サイネージ視聴履歴ＤＢ４は問い合わせに対して、ウェブサーバ装置１から送信されたユーザＩＤまたは装置識別情報に関連付けられて記憶されている視聴履歴を選択し、選択した視聴履歴を、問い合わせ元のウェブサーバ装置１に送信する（処理Ｂ７）。
【０１０４】
ウェブサーバ装置１は、視聴履歴を受信すると、視聴履歴に基づいて、画像コンテンツに含まれる複数の画像データを、既読画像データと、未読画像データとに区別する。
【０１０５】
ウェブサーバ装置１が、画像コンテンツに含まれる画像データを埋め込んだウェブページを作成するにあたって、区別された既読画像データと未読画像データとがユーザの目で見てわかるように、既読画像データと未読画像データとで表示する態様を変えて作成し、ＰＣ５に送信する（処理Ｂ８）。
【０１０６】
たとえば、ユーザは、画像コンテンツの各画像データに設定されたタイトルリストを見て、その中から、情報画像を表示させたいタイトルを選択する。このタイトルリストにおいて、既読画像データに設定されたタイトルの表示態様と未読画像データに設定されたタイトルの表示態様とを異ならせる。
【０１０７】
ユーザは、ＰＣ５に表示されたタイトルから、既読を表す赤色で表示されたタイトルを選択することで、サイネージ端末装置２に表示されている状態で見た情報画像を容易に選択してＰＣ５に表示させることができる。
【０１０８】
なお、本実施形態でも、第１実施形態と同様に、視聴履歴には、装置識別情報受信したときの画像識別情報の全てを含む必要はなく、電波受信状態に基づいて、条件を満足した画像識別情報のみを含む視聴履歴を作成することが好ましい。
【符号の説明】
【０１０９】
１      ウェブサーバ装置
２      サイネージ端末装置
２Ａ    サイネージ端末装置
３      携帯端末装置
３Ａ    携帯端末装置
４      サイネージ視聴履歴データベース
５      パーソナルコンピュータ
Ｎ      ネットワーク
Ｓ      コンテンツ表示システム
【図３】
2014021677.tif 000003
【図４】
2014021677.tif 000004
【図１】
2014021677.tif 000005
【図２】
2014021677.tif 000006
【図５】
2014021677.tif 000007